(57)【要約】【課題】  和風木造建築物の空間特性を維持しつつ、より簡易に和風木造建築物の構造補強を行うこと。【解決手段】  木造建築物の柱間に配設された既設の真壁又は欄間を撤去する工程と、前記柱間に新たな真壁を施工する工程と、を含み、前記新たな真壁がパネル状のエキスパンドメタルと、前記エキスパンドメタルに部分的に塗り込まれた土壁であって、少なくとも前記エキスパンドメタルの周縁部分に塗り込まれた土壁と、を備えたことを特徴とする。【選択図】  図２
2006161323.tif 000002
【特許請求の範囲】
【請求項１】
木造建築物において、柱間に真壁を配設してなる真壁構造において、
前記真壁が、
パネル状のエキスパンドメタルと、
前記エキスパンドメタルに部分的に塗り込まれた土壁であって、少なくとも前記エキスパンドメタルの周縁部分に塗り込まれた土壁と、
を備えたことを特徴とする真壁構造。
【請求項２】
木造建築物において、柱間に真壁を配設してなる真壁構造において、
前記真壁が、
光透過性を有する樹脂製のパネルと、
前記パネルの表面に固定された木格子と、
を備えたことを特徴とする真壁構造。
【請求項３】
木造建築物の柱間に配設された既設の真壁又は欄間を撤去する工程と、
前記柱間に新たな真壁を施工する工程と、
を含み、
前記新たな真壁が
パネル状のエキスパンドメタルと、
前記エキスパンドメタルに部分的に塗り込まれた土壁であって、少なくとも前記エキスパンドメタルの周縁部分に塗り込まれた土壁と、
を備えたことを特徴とする木造建築物の補強方法。
【請求項４】
木造建築物の柱間に配設された既設の真壁又は欄間を撤去する工程と、
前記柱間に新たな真壁を施工する工程と、
を含み、
前記新たな真壁が、
光透過性を有する樹脂製のパネルと、
前記パネルの表面に固定された木格子と、
を備えたことを特徴とする木造建築物の補強方法。
【発明の詳細な説明】
【技術分野】
【０００１】
本発明は和風木造建築物の補強技術に関するものである。
【背景技術】
【０００２】
伝統的な和風木造建築物はその耐震性能が必ずしも十分ではなく、現行の建築基準から外れている場合も少なくない。従って、既設の和風木造建築物はその構造補強が急務となっており、様々な試験・研究も行われている（例えば非特許文献１）。構造補強の方法としては、例えば、和風木造建築物の真壁、欄間等に強化ガラス板を嵌めこみ耐震壁を構成するものや、木格子を嵌め込み耐力壁を構成するものが提案されている。
【０００３】
【非特許文献１】前川秀幸,「重要文化財飯高寺講堂保存修理工事に係る補強土壁の性能に関する試験研究委託報告書」，新木造構法研究会，２０００年３月
【発明の開示】
【発明が解決しようとする課題】
【０００４】
ここで、伝統的な和風木造建築物は、軸組材による軸組工法により施工されており、開口部分が多く、光や風が抜け易い空間特性を有している。このため、既設木造建築物を改修して構造補強を行うにあたってはこのような空間特性を考慮する必要がある。この点につき、強化ガラス板により耐震壁を構成するものは光が透過する点で木造建築物の空間特性が維持されるが、万一破損した場合にガラスの砕片が周囲に飛散し、居住者に危害を与える畏れがあると共に、施工性が必ずしも容易ではなく、また、コスト高の傾向にある。木格子により耐力壁を構成するものは、光や風が抜け易い点で木造建築物の空間特性が維持されるが、十分な耐力を確保するために木格子の個々の木材を太くする必要があり、意匠性が劣る場合がある。
【０００５】
従って、本発明の目的は、和風木造建築物の空間特性を維持しつつ、より簡易に和風木造建築物の構造補強を行うことにある。
【課題を解決するための手段】
【０００６】
本発明によれば、木造建築物において、柱間に真壁を配設してなる真壁構造において、前記真壁が、パネル状のエキスパンドメタルと、前記エキスパンドメタルに部分的に塗り込まれた土壁であって、少なくとも前記エキスパンドメタルの周縁部分に塗り込まれた土壁と、を備えたことを特徴とする真壁構造が提供される。
【０００７】
また、本発明によれば、木造建築物において、柱間に真壁を配設してなる真壁構造において、前記真壁が、光透過性を有する樹脂製のパネルと、前記パネルの表面に固定された木格子と、を備えたことを特徴とする真壁構造が提供される。
【０００８】
また、本発明によれば、木造建築物の柱間に配設された既設の真壁又は欄間を撤去する工程と、前記柱間に新たな真壁を施工する工程と、を含み、前記新たな真壁がパネル状のエキスパンドメタルと、前記エキスパンドメタルに部分的に塗り込まれた土壁であって、少なくとも前記エキスパンドメタルの周縁部分に塗り込まれた土壁と、を備えたことを特徴とする木造建築物の補強方法が提供される。
【０００９】
また、本発明によれば、木造建築物の柱間に配設された既設の真壁又は欄間を撤去する工程と、前記柱間に新たな真壁を施工する工程と、を含み、前記新たな真壁が、光透過性を有する樹脂製のパネルと、前記パネルの表面に固定された木格子と、を備えたことを特徴とする木造建築物の補強方法が提供される。
【発明の効果】
【００１０】
本発明によれば、和風木造建築物の空間特性を維持しつつ、より簡易に和風木造建築物の構造補強を行うことができる。
【発明を実施するための最良の形態】
【００１１】
＜第１実施形態＞
図１（ａ）乃至（ｃ）は本発明の第１実施形態に係る木造建築物の補強方法を示す説明図である。図１（ａ）は補強前の既設木造建築物の壁面部分を示す図である。同図の例では複数の柱１間に真壁３ａ及び３ｂ、欄間４が配設されている。真壁３ａは柱１と梁（又は鴨居。以下同じ）２と床とで画定される開口部に隙間無く配設されている。また、真壁３ｂと欄間４とは柱１と梁２と天井とで画定される開口部に隙間無く配設されている。
【００１２】
さて、本実施形態の補強方法では、まず、補強対象とする真壁３ａ及び３ｂ、欄間４を撤去する。ここではこれらの全てを撤去するがもちろん一部の真壁、欄間についてのみ以下の補強方法を施してもよい。図１（ｂ）は真壁３ａ及び３ｂ並びに欄間４を撤去した後の壁面部分を示す図である。撤去された部位は開口部３ａ’、３ｂ’及び４’が形成されている。
【００１３】
次に、柱１間の各開口部３ａ’、３ｂ’及び４’に新たな真壁Ａ１乃至Ａ３（以下、総称する時は真壁Ａという。）を施工する。真壁Ａはパネル状のエキスパンドメタル１１と、エキスパンドメタルに部分的に塗り込まれた土壁１２と、を備える。土壁１２はいずれの真壁Ａ１乃至Ａ３においてもエキスパンドメタル１１の少なくとも周縁部分に塗り込まれている。真壁Ａ３においては欄間風の意匠を表現すべく、土壁１２を中央部分を除いて塗り込まれている。図２は本発明の第１実施形態における真壁構造の分解斜視図である。
【００１４】
エキスパンドメタル１１は、その端辺毎に設けられる山形鋼１３ａ乃至１３ｄに溶接等により固着される。山形鋼１３ａ乃至１３ｄは、鋼板を略９０度曲折する等して形成され、その一方の方形部分にエキスパンドメタル１１の各端辺が溶接等により固着され、他方の方形部分には複数の穴１４が設けられている。エキスパンドメタル１１は山形鋼１３ａ乃至１３ｄにより形成される方形の枠体に溶接された状態で各開口部３ａ’、３ｂ’及び４’に配設され、各穴１４にラグスクリュー１５を挿入して柱１、梁２、或いは天井並びに床にラグスクリュー１５をネジ込むことで固定・配設される。エキスパンドメタル１１及び山形鋼１３ａ乃至１３ｄにより形成される枠体の外形は、各開口部３ａ’、３ｂ’及び４’の外形に応じて設定されることは言うまでもない。また、本実施形態ではラグスクリュー１５によりエキスパンドメタル１１等を固定するようにしているが、固定方法はこれに限られず、種々の手法が採用できる。最後にエキスパンドメタル１１に土壁１１を塗り込むことにより新たな真壁構造が完成することになる。
【００１５】
さて、本実施形態の真壁Ａでは、エキスパンドメタル１１を真壁の構成部材として用いることにより既設木造建築物の補強を行うことができる。もちろん新設の木造建築物にもこれを用いてもよいことはいうまでもない。なお、真壁の高さが例えば９００ｍｍを超える場合には、横方向に延びる山形鋼（１３ａ及び１３ｄ）と平行に平鋼等の補強材を配設するすることで、更に強度を増すことができる。図３は補強材として平鋼１３を配設した例であり、真壁Ａ１の略中央において、縦方向に伸びる山形鋼（１３ｂ及び１３ｃ）間に固定されている。平鋼１３は例えば幅５０ｍｍ、厚さ１６ｍｍのものを用いることができる。
【００１６】
エキスパンドメタル１１は鋼板にスリットを設け、鋼板を引っ張ることでスリットを開口させたものであり、多数の開口を有する。従って、光、風が抜け易く和風木造建築物の空間特性を維持することができる。また、土壁１２は部分的に塗り込まれるので、上述した光、風が抜け易いという効果を妨げることはない。
【００１７】
また、土壁１２をエキスパンドメタル１１の周縁部分に塗り込むことにより、エキスパンドメタル１１と柱１等との間の固定部分の目隠しになり、意匠性を向上できる。更に、土壁１２は和風木造建築物の代表的な構成素材であり、外観上和風建築物になじみ易く、加えて、その塗り込み方により図１（ｃ）の真壁Ａ３に示すように欄間調に仕上げることもでき、和風木造建築物として違和感を与えない。
【００１８】
また、エキスパンドメタル１１、土壁１２、山形鋼１３ａ乃至１３ｄ等は強化ガラス等に比べて安価な材料であり、また、上記のようにラグスクリューによる固定のような簡易な固定方法が採用できるため、施工性がよく、安価に仕上げることができる。更に、地震等により万一真壁が破損したとしても、強化ガラスを採用した場合のようにガラスの砕片が周囲に飛散することがなく、壊れ方がより安全なものとなる。
【００１９】
＜第２実施形態＞
図４（ａ）乃至（ｃ）は本発明の第２実施形態に係る木造建築物の補強方法を示す説明図である。図４（ａ）は補強前の既設木造建築物の壁面部分を示す図であり、図１（ａ）のものと同じであるので説明は割愛する。
【００２０】
さて、本実施形態の補強方法では、第１実施形態の場合と同様に、まず、補強対象とする真壁３ａ及び３ｂ、欄間４を撤去する。図４（ｂ）は真壁３ａ及び３ｂ並びに欄間４を撤去した後の壁面部分を示す図であり、図１（ｂ）と同じものである。撤去された部位は開口部３ａ’、３ｂ’及び４’が形成されている。
【００２１】
次に、柱１間の各開口部３ａ’、３ｂ’及び４’に新たな真壁Ｂ１乃至Ｂ３（以下、総称する時は真壁Ｂという。）を施工する。真壁Ｂは光透過性を有する樹脂製のパネル２２と、パネル２２の表面に固定された木格子２１と、を備える。パネル２２は例えばアクリル製のパネルであり、好ましくは白濁色のものである。白濁色のものとすることで木格子２１と相俟って障子様に見せることができる。木格子２１は、木製の角材を縦横に組み合わせたものであり、障子等に用いられる木格子と同種のもので足りる。図５は本発明の第２実施形態における真壁構造の分解斜視図である。
【００２２】
木格子２１は、例えば、不図示のビス等によりパネル２２の表面に固定され、ビスを採用する場合は見た目を向上するために化粧ビスを用いることが望ましい。木格子２１の端辺を構成する各角材には、複数の穴２３が設けられている。施工にあたっては、例えば、まず、木格子２１各開口部３ａ’、３ｂ’及び４’に設置し、各穴２３にラグスクリュー２４を挿入して柱１、梁２、或いは天井並びに床にラグスクリュー１５をネジ込むことで固定・配設する。その後、パネル２２を木格子２１に固定することで新たな真壁構造が閑静する。木格子２１及びパネルの外形は、各開口部３ａ’、３ｂ’及び４’の外形に応じて設定されることは言うまでもない。また、本実施形態ではラグスクリュー１５により木格子２１を固定するようにしているが、固定方法はこれに限られず、種々の手法が採用できる。
【００２３】
さて、本実施形態の真壁Ｂは、樹脂製のパネル２２を真壁の構成部材として用いることにより既設木造建築物の補強を行うことができる。もちろん新設の木造建築物にもこれを用いてもよいことはいうまでもない。ここで、樹脂製のパネル２２はこれが撓むと補強強度が低下するが、木格子２１を設けたことでパネル２２の撓みを抑制し、十分な耐力が得られる。木格子２１はそれ自体真壁Ｂの強度に寄与するが、本実施形態ではパネル２２を採用したことにより、木格子２１の役割はパネル２２の撓み防止にあり、かつ、その程度の強度で足りる。従って、木格子２１を構成する各角材は真壁Ｂの強度確保のために太くする必要はなく、パネル２２の撓みが防止できる程度で足り、設計の自由度が広がるため、意匠性を確保できる。なお、パネル２２はアクリル製の場合、数ミリ程度の厚さがあれば十分な耐力を得られる。
【００２４】
また、パネル２２が光透過性を有するので真壁Ｂは光が透過する。従って、和風木造建築物の空間特性を維持することができる。更に、木格子２１とパネル２２との組合せにより、真壁Ｂを、和風木造建築物の代表的な構成部材である、障子様に見せることができ、和風木造建築物として違和感を与えないばかりでなく、図４（ｃ）の真壁Ｂ３に示すように欄間様に用いることもできる。
【００２５】
また、木格子２１、樹脂製のパネル２２等は強化ガラス等に比べて安価な材料であり、また、上記のようにラグスクリューによる固定のような簡易な固定方法が採用できるため、施工性がよく、安価に仕上げることができる。更に、地震等により万一真壁が破損したとしても、強化ガラスを採用した場合のようにガラスの砕片が周囲に飛散することがなく、壊れ方がより安全なものとなる。
【図面の簡単な説明】
【００２６】
【図１】（ａ）乃至（ｃ）は本発明の第１実施形態に係る木造建築物の補強方法を示す説明図である。
【図２】本発明の第１実施形態における真壁構造の分解斜視図である。
【図３】本発明の第１実施形態における真壁構造に補強材を設けた構成を示す図である。
【図４】（ａ）乃至（ｃ）は本発明の第２実施形態に係る木造建築物の補強方法を示す説明図である。
【図５】本発明の第２実施形態における真壁構造の分解斜視図である。
【符号の説明】
【００２７】
Ａ１乃至Ａ３、Ｂ１乃至Ｂ３  真壁
１  柱
２  梁（又は鴨居）
【図１】
2006161323.tif 000003
【図２】
2006161323.tif 000004
【図３】
2006161323.tif 000005
【図４】
2006161323.tif 000006
【図５】
2006161323.tif 000007